(57)【要約】      （修正有）【課題】作業者がたとえ一人しかいない場合であっても、自家用発電機の設置場所まで一人で持ち運んで運搬でき、一人であっても負荷試験が行える一人作業用負荷試験装置を提供する。【解決手段】分割型負荷試験装置であり、一人で持ち運べる重量に形成された送風機３と、一人で持てる重量に形成された複数個の負荷試験装置ユニット１とを有し、前記複数個の負荷試験装置ユニットは、前記送風機の後方で、送風方向に向かい、接続され、かつ試験すべき発電機の目的容量に合わせて、前記複数個の負荷試験装置ユニットを直列配線接続、並列配線接続に組み替えて接続できる。【選択図】図２
2015087276.tif 000002
【特許請求の範囲】
【請求項１】
分割型負荷試験装置であり、一人で持ち運べる重量に形成された送風機と、一人で持てる重量に形成された複数個の負荷試験装置ユニットとを有し、
前記複数個の負荷試験装置ユニットは、前記送風機の後方で、送風方向に向かい、接続され、かつ試験すべき発電機の目的容量に合わせて、前記複数個の負荷試験装置ユニットを直列配線接続、並列配線接続に組み替えて接続できる、
ことを特徴とする一人作業用負荷試験装置。
【請求項２】
前記一人で持ち運べる重量は、満１８歳以上の男子労働者の場合は、当該労働者の体重のおおむね４０％以下である、
ことを特徴とする請求項１記載の一人作業用負荷試験装置。
【請求項３】
前記一人で持ち運べる重量は、１０ｋｇ乃至１６ｋｇ、好ましくは１４ｋｇ未満である、
ことを特徴とする請求項１記載の一人作業用負荷試験装置。
【発明の詳細な説明】
【技術分野】
【０００１】
本発明は、作業者が一人で持ち運べ、一人でも負荷試験作業が行える一人作業用負荷試験装置に関するものである。
【背景技術】
【０００２】
例えば、突発的な災害や事故によって商用の送電が停電などでストップし、電力が急に供給されなくなることが生じ得る。
この様な緊急時を想定して、病院、消防署、警察署、各官庁あるいは各企業のビルでは自家用発電機が装備されている。
該自家用発電機は緊急時に発電して電力を発電、送出するが、頻繁に使用するものではないため、緊急時においてスムーズに作動することが常に要求される。
従って、前記自家用発電機については定期的に動作試験を行うことが要求されるのである。
【０００３】
一般に、この動作試験にはいわゆる負荷試験装置が使用される。ここで、負荷試験装置の概略を説明すると、自家用発電機の負荷試験とは、前記自家用発電機を作動させ、電力の発電、送出動作などに異常がないかを試験するものであり、負荷試験装置を構成する金属製抵抗体に前記自家用発電機で発電した電力を所定時間通電させ、当該負荷試験装置における電力の発電、送出動作などに異常がないかを検査、確認するものである。
【０００４】
しかるに、大型ビルや病院、消防署、警察署、各官庁などに設置された自家用発電機のように大容量の電力を発電する大型自家用発電機は大容量の電力を発電するために、大型化されており、もってそれを試験する負荷試験装置もやはり大型化せざるを得ないものであった。
従って、通常は大型トラックなどの車両の荷台に設置して運搬し、運用するのが通常となっていた。
【０００５】
また、従来軽量であると謳われている負荷試験装置であっても、多種多様に存在する不特定多数の自家用発電機をターゲットにして対応できる最大負荷を装備して構成されている。
そして、電気的或いは機械的に負荷を切り替え、負荷試験を行うべき自家用発電機への必要負荷を提供する構成としている。
従って、上記の理由により、きわめて小負荷単品対応の負荷試験装置を除いて、一人で持ち運べる負荷試験装置は存在しないのが実情であった。
【０００６】
また、従来の負荷試験装置は、エレベーターや通路等は負荷試験装置下部に取り付けられた車輪等を利用して押し運び、それ以外の前述の車輪を用いられない使用環境、例えば、階段で出入りする屋上や地下室、段差がある通路通過、舗装の無い高台や山上の施設等へは、複数人により運搬せざるを得ないものであった。  これは、従来の負荷試験装置が、一人では、負荷試験作業そのものが実施出来ないことを意味していることに他ならない。
【先行技術文献】
【特許文献】
【０００７】
【特許文献１】特開２０００−１６２２９１号公報
【発明の概要】
【発明が解決しようとする課題】
【０００８】
本発明は前記従来の課題を解決するために創案されたものであって、作業者がたとえ一人しかいない場合であっても、自家用発電機の設置場所まで一人で持ち運んで運搬でき、一人であっても負荷試験が行える一人作業用負荷試験装置を提供することを目的とするものである。
【課題を解決するための手段】
【０００９】
本発明は、分割型の負荷試験装置であり、一人で持ち運べる重量に形成された送風機と、一人で持てる重量に形成された複数個の負荷試験装置ユニットとを有し、
前記複数個の負荷試験装置ユニットは、前記送風機の後方で、送風方向に向かい、接続され、かつ試験すべき発電機の目的容量に合わせて前記複数個の負荷試験装置ユニットを直列配線接続、並列配線接続に組み替えて接続できる、
ことを特徴とし、
または、
前記一人で持ち運べる重量は、満１８歳以上の男子労働者の場合は、当該労働者の体重のおおむね４０％以下である、
ことを特徴とし、
または、
前記一人で持ち運べる重量は、１０ｋｇ乃至１６ｋｇ、好ましくは１４ｋｇ未満である、
ことを特徴とするものである。
【発明の効果】
【００１０】
本発明による一人作業用負荷試験装置であれば、作業者がたとえ一人しかいない場合であっても、自家用発電機の設置場所まで一人で持ち運んで運搬でき、一人であっても負荷試験が行えるとの優れた効果を奏する。
【図面の簡単な説明】
【００１１】
【図１】本発明につき一人で持ち運ぶ状態を説明する説明図である。
【図２】本発明の使用状態を説明する説明図（１）である。
【図３】本発明の使用状態を説明する説明図（２）である。
【図４】本発明の使用状態を説明する説明図（３）である。
【図５】本発明の使用状態を説明する説明図（４）である。
【図６】本発明の使用状態を説明する説明図（５）である。
【図７】本発明の使用状態を説明する説明図（６）である。
【発明を実施するための形態】
【００１２】
まず、本発明の概略構成を説明する。
【００１３】
本発明は、一人の作業者によって簡単に持ち運べる最大重量で収まる負荷容量に設定した負荷試験装置ユニット１を主たる構成品としている。
そして、必要とされる負荷試験容量に合わせた必要数複数個の負荷試験装置ユニット１・・・を用意し、作業員一人で試験すべき自家用発電機の設置箇所まで必要回数、すなわち複数個分往復して運搬し、運搬した箇所では前記自家用発電機の目的負荷容量に合わせて、前記負荷試験装置ユニット１・・・を組み立て、それを負荷試験装置として使用するものである。
従って、当該負荷試験装置ユニット１は、一人で安全に持ち運びが出来るように、例えば最大重量を１４ｋｇ未満とし、健常な中高年男性や女性においても、前記負荷試験装置ユニット１の各々を片手での持ち運びが可能に構成したものである。
【００１４】
なお、各負荷試験装置ユニット１の上部には把手２を取り付け、持ち運びを容易にしてもよい。
また、負荷の発熱による熱エネルギー発散のため装備する送風機３は、常に使用する独立の基本の部材であり、必ず前記複数個の負荷試験装置ユニット１・・・と組み合わせて使用される。そして、この送風機３に関しても、例えば最大重量を１４ｋｇ未満とし、健常な中高年男性や女性においても、各々を片手での持ち運びが可能に構成してある。
【００１５】
そして、各負荷試験装置ユニット１・・・間は、マグネットなどの接続位置決め部材４を利用して位置決めと接続ができる構成となっている。
また、各負荷試験装置ユニット１・・・間は、接続コネクターなどを使用して接続出来る様になっており、接続線などとの結線をナットによる締め付け等を伴うような通常の結線作業が不要な構造になっている。
【００１６】
本発明による負荷試験装置の移動に際しては、複数個の負荷試験装置ユニット１・・・を結び付けての移動が可能なところまでは、複数個の負荷試験装置ユニット１・・・をジョイントし、例えば下部に設置されたキャスター１１を介して運び、人力による運搬しか出来ない場所においては、各々の負荷試験装置ユニット１にばらして搬入を行う。
【００１７】
ここで、本発明による負荷試験装置が対応する電気仕様は、例えば三相三線式200V、単相三線式200v、100vなどである。
さらに、各負荷試験装置ユニット１・・・間の接続については、前記送風機３に対し、それぞれの負荷試験装置ユニット１・・・を並列配線接続して接続することも出来るし、また複数の負荷試験装置ユニット１・・・を直列配線接続にして接続することも出来る。また、複数の負荷試験装置ユニット１・・・の直列配線接続と並列配線接続とを混在させて使用することもできる。
【００１８】
以下、本発明を図に示す実施例に基づいて説明する。
【００１９】
図１は、一人の作業員が本発明による負荷試験装置ユニット1を持ち上げて運搬する状態を示した図である。一人で持ち運びが出来る様に、例えば、１４ｋｇ未満の重量としてある。
この負荷試験装置ユニット１の内部には複数の金属製抵抗体が配置されており、該抵抗体に通電することにより、自家用発電機の通電試験（負荷試験）が行えるものとなっている。
【００２０】
形状は略直方体の方形体状をなしているが、この形状に限定されるものではない。また、厚み方向に送風機３からの風が抜けるよう、厚み方向に対向する両側面には開口部７、７が設けられ、また、この開口部７には網目状に形成されたカバー８が設けられている。
【００２１】
上面には持ちやすいように把手２が設けられており、また側面には、ほかの負荷試験装置ユニット1と接続するための接続線１３が取り付けられている。
さらに、下面にはキャスター１１が取り付けられて平坦な箇所では、手で持ち上げることなくキャスター１１で転がして移動運搬できるようになっている。
【００２２】
次に、図２に本発明による負荷試験装置ユニット１・・・を接続した状態の第１実施例を示す。
【００２３】
図２において、符号１２は、例えば容量６６ｋｗで三相交流２００ｖ用、あるいは単相三線式２００ｖ用、１００ｖ用の自家用発電機を示す。そして、この自家用発電機１２の負荷試験に際して、１台の送風機３と４台の負荷試験装置ユニット1が２セット、自家用発電機１２に接続され、負荷試験が行われる例を示したものである。
【００２４】
なお、本実施例では１台の送風機３と４台の負荷試験装置ユニット1とを１セットとし、これを２セット用意して負荷試験を行うものとしたが、これに限定されるものではなく、４セットあるいは８セットと増設することにより容量９９ｋｗ用の自家用発電機１２あるいは容量１３２ｋｗ用の自家用発電機１２などの負荷試験に対応できるものとなる。
【００２５】
図２から理解される様に、容量６６ｋｗの自家用発電機１２は、三線式であるため、３本の送出線６が設けられ、この３本の送出線６が送風機３に接続される。
さらに、送風機３の側面には三線用の接続雌プラグ９・・・が４個設けられており、該接続雌プラグ９に各々４台の負荷試験装置ユニット１・・・が接続線１３の雄プラグ１４が嵌め込まれ、これによって各負荷試験装置ユニット１・・・が送風機３に接続されるものとなる。前述のように送風機３は自家用発電機12と接続されており、もって、自家用発電機１２からの電力は送風機２および該送風機12に接続された各負荷試験装置ユニット１・・・に送出されるものとなる。
【００２６】
ここで、送風機３のすぐ後方には、例えば、容量６ｋｗで無段階に負荷容量を調節できる負荷試験装置ユニット１を配置するものとする。
そして、その後方には、例えば容量９ｋｗで、容量３ｋｗ単位に単独で入り切りできる構造の負荷試験装置ユニット１が３台接続される。
【００２７】
これにより、容量9ｋｗの負荷試験装置ユニット1の３ｋｗごとの容量切り替えと、容量６ｋｗの負荷試験装置ユニット1の無段階調節操作により、段階的に負荷を増加させる負荷試験が行え、容量６６ｋｗの２５％の負荷を与える負荷試験から、５０％負荷試験、さらに７５％負荷試験、１００％負荷試験、１１０％負荷試験などと負荷を増加させる試験が可能とされるのである。
【００２８】
さらに、図２において送風機３の表面四隅の箇所には、例えばマグネットなどで構成された接続位置決め部材４・・・が設けられている。そして、この送風機３における接続位置決め部材４・・・の設置箇所に対向する、負荷試験装置ユニット1の裏面四隅の箇所においても、前記接続位置決め部材４が、例えば吸着して密着する接続部（図示していない）が設けられている。ここで、該接続部にはマグネットなどで形成した前記接続位置決め部材４を取り付けても構わないし、前記送風機３側に設けた接続位置決め部材４が吸着する金属部材により接続部としても構わない。
【００２９】
また、負荷試験装置ユニット１の表面においても、その表面の四隅に例えばマグネットなどで構成された接続位置決め部材４・・・が設けられており、該負荷試験装置ユニット1に対向する２枚目の負荷試験装置ユニット１の裏面四隅においても、前記接続位置決め部材４が例えば吸着して密着する接続部が設けられている。
【００３０】
そして、実際の負荷試験を行うときには、図５に示すように、各々の接続位置決め部材４と接続部とを密着させて固定し、一体化できるものとされている。すなわち、図５から理解されるように、1つの略直方体状をなす負荷試験装置として機能するものとなる。
なお、接続位置決め部材４並びにそれに対向して設けられる接続部の数は、４箇所に限定されるものではなく、６箇所でも８箇所でも構わないものである。  
【００３１】
次に、図３を参照して、本発明の第２実施例につき説明する。
図３において、例えば容量６６ｋｗで三相交流２００ｖ用、あるいは単相三線式２００ｖ用、１００ｖ用の自家用発電機１２の負荷試験に際して、１台の送風機３と４台の負荷試験装置ユニット1が２セット、自家用発電機１２に接続され、負荷試験を行う例を示したものである。
【００３２】
そして、図３から理解される様に、容量６６ｋｗの自家用発電機１２は、三線式であるため、３本の送出線が設けられ、この３本の送出線が送風機３に接続されている。
さらに、送風機３の側面には三線用の接続雌プラグ９・・・が少なくとも１個設けられており、該接続雌プラグ９に１台の負荷試験装置ユニット１における接続線１３の雄プラグ１４が嵌め込まれ、これによって接続されている。ここで、送風機３のすぐ後方には、例えば、容量６ｋｗで無段階に負荷容量を調節できる負荷試験装置ユニット１が配置される。
【００３３】
そして、その後方には、例えば容量９ｋｗで、容量３ｋｗ単位に単独で入り切りできる構造の負荷試験装置ユニット１が直列配線にして３台接続される。
これにより、容量9ｋｗの負荷試験装置ユニット1の３ｋｗごとの容量切り替えと、容量６ｋｗの負荷試験装置ユニット1の無段階調節操作により、段階的に負荷を増加させる負荷試験が行え、容量６６ｋｗの２５％の負荷を与える負荷試験から、５０％負荷試験、さらに７５％負荷試験、１００％負荷試験、１１０％負荷試験などと負荷を増加させる試験が可能とされるのである。
【００３４】
さらに、図３において送風機３の表面四隅の箇所には、例えばマグネットなどで構成された接続位置決め部材４・・・が設けられている。そして、この送風機３における接続位置決め部材４・・・の設置箇所に対向する、負荷試験装置ユニット1の裏面四隅の箇所には、前記接続位置決め部材４が、例えば吸着して密着する接続部（図示していない）が設けられている。
【００３５】
また、負荷試験装置ユニット１の表面においても、その表面の四隅に例えばマグネットなどで構成された接続位置決め部材４・・・が設けられており、該負荷試験装置ユニット1に対向する２枚目の負荷試験装置ユニット１の裏面四隅においても、前記接続位置決め部材４が、例えば吸着して密着する接続部（図示していない）が設けられている。
【００３６】
そして、実際の負荷試験を行うときには、図６に示すように、各々の接続位置決め部材４と接続部とを密着させて固定し、一体化するものとしている。すなわち、図６から理解されるように、1つの略直方体状をなす負荷試験装置として機能するものとなる。
【００３７】
図４に本発明の第３実施例を示す。
図４において、例えば容量６６ｋｗで三相交流２００ｖ用、あるいは単相三線式２００ｖ用、１００ｖ用の自家用発電機１２の負荷試験に際して、１台の送風機３と４台の負荷試験装置ユニット1が２セット、自家用発電機１２に接続され、負荷試験を行う例を示したものである。
【００３８】
そして、図４から理解される様に、容量６６ｋｗの自家用発電機１２は、三線式であるため、３本の送出線が設けられ、この３本の送出線が送風機３に接続されている。
さらに、送風機３の表面上方側中央には三線用の接続雌プラグモジュール１５が少なくとも１個設けられており、該接続雌プラグモジュール１５に１台の負荷試験装置ユニット１における雄プラグモジュール１６が嵌め込まれ、これによって接続出来る様に構成されている。
【００３９】
ここで、送風機３のすぐ後方には、例えば、容量６ｋｗで無段階に負荷容量を調節できる負荷試験装置ユニット１が配置されるものとなる。
そして、その後方には、例えば容量９ｋｗで、容量３ｋｗ単位に単独で入り切りできる構造の負荷試験装置ユニット１が前記の雌プラグモジュール１５と雄プラグモジュール１６との接続により直列配線にして３台接続されるものとなる。
【００４０】
これにより、容量9ｋｗの負荷試験装置ユニット1の３ｋｗごとの容量切り替えと、容量６ｋｗの負荷試験装置ユニット1の無段階調節操作により、段階的に負荷を増加させる負荷試験が行え、容量６６ｋｗの２５％の負荷を与える負荷試験から、５０％負荷試験、さらに７５％負荷試験、１００％負荷試験、１１０％負荷試験などと負荷を増加させる試験が可能とされるのである。
【００４１】
さらに、前述した実施例と同様に、図４において送風機３の表面四隅の箇所には、例えばマグネットなどで構成された接続位置決め部材４・・・が設けられている。そして、この送風機３における接続位置決め部材４・・・の設置箇所に対向する、負荷試験装置ユニット1の裏面四隅の箇所には、前記接続位置決め部材４が、例えば吸着して密着する接続部（図示していない）が設けられている。
【００４２】
また、負荷試験装置ユニット１の表面においても、その表面の四隅に例えばマグネットなどで構成された接続位置決め部材４・・・が設けられており、該負荷試験装置ユニット1に対向する２枚目の負荷試験装置ユニット１の裏面四隅においても、前記接続位置決め部材４が、例えば吸着して密着する接続部（図示していない）が設けられている。
【００４３】
そして、実際の負荷試験を行うときには、図７に示すように、各々の接続位置決め部材４と接続部とを密着させて固定し、一体化するものとしている。すなわち、図７から理解されるように、1つの略直方体状をなす負荷試験装置として機能するものとなる。
【００４４】
以上、本発明の実施例を説明したが、本発明であれば、例えば、最大容量の負荷を必ず装備し、必要な容量に切り替え使用する従来型に比べて、必要容量のみ持ち運び、使用すればよいため、当該負荷試験装置で使用する最大負荷使用時以外は、必要のない負荷部分を運搬する必要がない。
【００４５】
また、例えば、負荷試験装置の運搬車が入れない山奥や狭小エリアにも、本発明による負荷試験装置であれば、一人で持ち運べるため簡単に負荷試験を実施することが出来る。
今まで、複数人で運び込んでいた負荷試験装置を一人で運ぶことが出来るため、結果として負荷試験作業が一人で可能となる。
【００４６】
また、本発明では、軽量にすべく分割することができるため、軽自動車・ライトバン等の運搬手段への当該品の積み下ろし作業が一人で出来ることにもなる。
さらに、急な階段や狭小或いは階段部曲がり角や段差のある通路等を複数人数で運送することによる難易性が低減される。
負荷試験装置を対象機器に近接して持ち込めるため、接続する配線を最小限に留めることが出来る。
【００４７】
従来、複数人数かかっていた負荷試験作業が、一人でできるため、人件費を中心に費用の大幅な削減が出来る。さらに、この費用削減により、従来は費用をかけずに無負荷作動のみで対応していたものも、必要な負荷試験が安価で対応可能となり、緊急時の実負荷によるトラブル防止環境が大幅に改善される。
【００４８】
なお、本発明の最大の主旨は、必要な負荷だけで分割して持ち込み、組み立てて行う負荷試験装置により、搬入から搬出まで、すべての作業が一人で安全に取り扱うことが出来るようにしたことである。
【符号の説明】
【００４９】
１      負荷試験装置ユニット
２      把手
３      送風機
４      接続位置決め部材
５      接続コネクター
６      送出線
７      開口部
８      カバー
９      雌プラグ
１１    キャスター
１２    自家用発電機
１３    接続線
１４    雄プラグ
１５    雌プラグモジュール
１６    雄プラグモジュール
【図１】
2015087276.tif 000003
【図２】
2015087276.tif 000004
【図３】
2015087276.tif 000005
【図４】
2015087276.tif 000006
【図５】
2015087276.tif 000007
【図６】
2015087276.tif 000008
【図７】
2015087276.tif 000009